(57)【要約】【課題】受信可能なアナログ放送信号およびデジタル放送信号をそれぞれ正しく且つ効率よくサーチすることが可能な電子機器を実現する。【解決手段】アナログＴＶスキャン処理制御部４１１は、受信周波数を所定のステップ幅で順次変更する処理と、バンドパスフィルタ３０３のフィルタ帯域幅を複数種の放送方式にそれぞれ対応する複数の帯域幅の間で変更しながら、受信周波数毎に、受信信号（入力信号）の存在の有無と、アナログＴＶ信号の存在の有無と、存在するアナログＴＶ信号の帯域幅とを検出する処理とを実行する。このアナログＴＶスキャン処理の結果に基づいて、絞り込み処理部４１２は、デジタルＴＶ信号が存在する可能性がある周波数帯域を絞り込む。デジタルＴＶスキャン処理制御部４１３は、絞り込まれた周波数帯域内から、受信可能なデジタル放送信号をサーチするためのデジタルＴＶスキャン処理を実行する。【選択図】図４
2007006247.tif 000002
【特許請求の範囲】
【請求項１】
アナログ放送信号およびデジタル放送信号を受信する受信装置を備えた電子機器において、
前記受信装置を制御して、所定の放送信号周波数帯域内から受信可能な、アナログ放送信号およびデジタル放送信号の一方の放送信号をサーチするための第１スキャン処理を実行する第１スキャン処理制御手段であって、前記第１スキャン処理は、前記受信装置の受信周波数を第１のステップ幅で順次変更する処理と、前記受信装置に設けられ前記受信装置によって受信された信号から所定の周波数帯域に属する信号成分を抽出するバンドパスフィルタのフィルタ帯域幅を複数種の放送方式にそれぞれ対応する複数の帯域幅の間で変更しながら前記バンドパスフィルタの出力を解析して、前記受信周波数毎に、受信信号の存在の有無と、前記一方の放送信号の存在の有無と、存在する前記一方の放送信号の帯域幅とを検出する処理とを含む第１のスキャン処理制御手段と、
前記第１スキャン処理の結果に基づき、前記放送信号周波数帯域の内から、前記アナログ放送信号および前記デジタル放送信号の他方の放送信号が存在する可能性がある周波数帯域を絞り込む手段と、
前記受信装置を制御して、前記絞り込まれた周波数帯域内から受信可能な、前記他方の放送信号をサーチするための第２スキャン処理を実行する第２のスキャン処理制御手段であって、前記第２スキャン処理は、前記受信装置の受信周波数を第２のステップ幅で順次変更する処理と、前記バンドパスフィルタの帯域幅を前記複数のフィルタ帯域幅の間で変更しながら前記バンドパスフィルタの出力を解析して、前記受信周波数毎に、前記他方の放送信号の存在の有無と、存在する前記他方の放送信号の帯域幅とを検出する処理とを含む第２のスキャン処理制御手段とを具備することを特徴とする電子機器。
【請求項２】
前記他方の放送信号が存在する可能性がある周波数帯域を絞り込む手段は、前記放送信号周波数帯域の内で、前記受信信号が存在しない周波数帯域と前記検出された前記一方の各放送信号が存在する周波数帯域とを除く残りの周波数帯域を、前記他方の放送信号が存在する可能性がある周波数帯域として決定することを特徴とする請求項１記載の電子機器。
【請求項３】
前記第１スキャン処理は、ある受信周波数において前記一方の放送信号が検出された場合、当該検出された放送信号の帯域幅に基づいて、前記第１スキャン処理の対象から除外すべき周波数帯域を決定し、当該決定結果に基づいて、次に設定すべき受信周波数の値を調整する処理を含むことを特徴とする請求項１記載の電子機器。
【請求項４】
前記第２スキャン処理は、ある受信周波数において前記他方の放送信号が検出された場合、当該検出された放送信号の帯域幅に基づいて、前記第２スキャン処理の対象から除外すべき周波数帯域を決定し、当該決定結果に基づいて、次に設定すべき受信周波数の値を調整する処理を含むことを特徴とする請求項１記載の電子機器。
【請求項５】
前記受信装置は、前記電子機器の本体内に内蔵されていることを特徴とする請求項１記載の電子機器。
【請求項６】
前記受信装置は、受信周波数を選択する周波数選択回路と前記バンドパスフィルタとを含むチューナ部と、前記バンドパスフィルタの出力信号を解析してアナログ放送信号を検出する回路を含むアナログ放送信号処理回路と、前記バンドパスフィルタからの出力信号を解析してデジタル放送信号を検出する回路を含むデジタル放送信号処理回路とを含み、
前記第１のスキャン処理制御手段は、前記チューナ部と、前記アナログ放送信号処理回路および前記デジタル放送信号処理回路の一方とを制御して前記第１スキャン処理を実行し、
前記第２のスキャン処理制御手段は、前記チューナ部と、前記アナログ放送信号処理回路および前記デジタル放送信号処理回路の他方とを制御して前記第２スキャン処理を実行することを特徴とする請求項１記載の電子機器。
【請求項７】
アナログ放送チャンネルおよびデジタル放送チャンネルをそれぞれ検出するチャンネル検出方法であって、
アナログ放送信号およびデジタル放送信号を受信する受信装置を制御して、所定の放送信号周波数帯域内から受信可能な、アナログ放送信号およびデジタル放送信号の一方の放送信号をサーチするための第１スキャン処理を実行する第１スキャン処理制御ステップであって、前記第１スキャン処理は、前記受信装置の受信周波数を第１のステップ幅で順次変更する処理と、前記受信装置に設けられ前記受信装置によって受信された信号から所定の周波数帯域に属する信号成分を抽出するバンドパスフィルタのフィルタ帯域幅を複数種の放送方式にそれぞれ対応する複数の帯域幅の間で変更しながら前記バンドパスフィルタの出力を解析して、前記受信周波数毎に、受信信号の存在の有無と、前記一方の放送信号の存在の有無と、存在する前記一方の放送信号の帯域幅とを検出する処理とを含む第１のスキャン処理制御ステップと、
前記第１スキャン処理の結果に基づき、前記放送信号周波数帯域の内から、前記アナログ放送信号および前記デジタル放送信号の他方の放送信号が存在する可能性がある周波数帯域を絞り込むステップと、
前記受信装置を制御して、前記絞り込まれた周波数帯域内から受信可能な、前記他方の放送信号をサーチするための第２スキャン処理を実行する第２のスキャン処理制御ステップであって、前記第２スキャン処理は、前記受信装置の受信周波数を第２のステップ幅で順次変更する処理と、前記バンドパスフィルタの帯域幅を前記複数のフィルタ帯域幅の間で変更しながら前記バンドパスフィルタの出力を解析して、前記受信周波数毎に、前記他方の放送信号の存在の有無と、存在する前記他方の放送信号の帯域幅とを検出する処理とを含む第２のスキャン処理制御ステップとを具備することを特徴とするチャンネル検出方法。
【請求項８】
前記他方の放送信号が存在する可能性がある周波数帯域を絞り込むステップは、前記放送信号周波数帯域の内で、前記受信信号が存在しない周波数帯域と前記検出された前記一方の各放送信号が存在する周波数帯域とを除く残りの周波数帯域を、前記他方の放送信号が存在する可能性がある周波数帯域として決定することを特徴とする請求項７記載のチャンネル検出方法。
【請求項９】
前記第１スキャン処理は、ある受信周波数において前記一方の放送信号が検出された場合、当該検出された放送信号の帯域幅に基づいて、前記第１スキャン処理の対象から除外すべき周波数帯域を決定し、当該決定結果に基づいて、次に設定すべき受信周波数の値を調整する処理を含むことを特徴とする請求項７記載のチャンネル検出方法。
【請求項１０】
前記第２スキャン処理は、ある受信周波数において前記他方の放送信号が検出された場合、当該検出された放送信号の帯域幅に基づいて、前記第２スキャン処理の対象から除外すべき周波数帯域を決定し、当該決定結果に基づいて、次に設定すべき受信周波数の値を調整する処理を含むことを特徴とする請求項７記載のチャンネル検出方法。
【請求項１１】
前記受信装置は、受信周波数を選択する周波数選択回路と前記バンドパスフィルタとを含むチューナ部と、前記バンドパスフィルタの出力信号を解析してアナログ放送信号を検出する回路を含むアナログ放送信号処理回路と、前記バンドパスフィルタからの出力信号を解析してデジタル放送信号を検出する回路を含むデジタル放送信号処理回路とを含み、
前記第１のスキャン処理制御ステップは、前記チューナ部と、前記アナログ放送信号処理回路および前記デジタル放送信号処理回路の一方とを制御して前記第１スキャン処理を実行し、
前記第２のスキャン処理制御ステップは、前記チューナ部と、前記アナログ放送信号処理回路および前記デジタル放送信号処理回路の他方とを制御して前記第２スキャン処理を実行することを特徴とする請求項７記載のチャンネル検出方法。
【発明の詳細な説明】
【技術分野】
【０００１】
本発明は、アナログ放送信号およびデジタル放送信号を受信可能な受信装置を備えた電子機器および同装置で用いられるチャンネル検出方法に関する。
【背景技術】
【０００２】
近年、ノートブックタイプ、ラップトップタイプのような携帯可能な様々なパーソナルコンピュータが開発されている。最近では、この種のパーソナルコンピュータにおいても、オーディオ・ビデオ（ＡＶ）機能の向上を図るために、ＴＶ放送信号を受信するためのチューナ装置の搭載が進められている。
【０００３】
ところで、現在、世界の多数の地域では、様々な種類の放送方式（またはＴＶ放送方式という）が採用されている。例えば、日本、北米などで使用されている放送方式はＮＴＳＣ−Ｍであり、ドイツ等で使用されている放送方式はＰＡＬ−Ｂ／Ｇである。また、何種類かの放送方式それぞれに対応する放送信号が用いられている地域もある。
【０００４】
そこで、最近では、複数種の放送方式それぞれに対応する複数種のＴＶ放送信号を受信可能な、いわゆる全世界対応のチューナを搭載したパーソナルコンピュータが開発され始めている。
【０００５】
この種のパーソナルコンピュータにおいては、そのコンピュータがどの地域で使用される場合であっても、受信可能な全てのＴＶ放送チャンネルを正しくサーチするための機能が必要となる。
【０００６】
通常、受信可能なＴＶ放送チャンネルのサーチは、スキャンと称される方法を用いて実行される。
【０００７】
特許文献１には、スキャン機能を有するＴＶ装置が開示されている。このＴＶ装置においては、アナログＴＶ放送のスキャン処理の結果に基づいて、デジタルＴＶ放送のスキャン処理が実行される。このデジタルＴＶ放送のスキャン処理は、アナログＴＶ放送に使用されていないチャンネルを対象に実行される。
【特許文献１】特開２００５−６４５８５号公報
【発明の開示】
【発明が解決しようとする課題】
【０００８】
しかし、特許文献１のスキャン機能は、ある特定の一つの放送方式のみが使用されている地域での利用を前提としたものであり、ＴＶ装置が現在使用されている地域がどのような放送方式の放送信号が放送されている地域であるかがが不明な環境下では、受信可能なＴＶ放送チャンネルを正しく検知するのは困難である。
【０００９】
全世界対応のチューナを搭載した、パーソナルコンピュータのような携帯型電子機器は、放送方式の異なる様々な地域で使用される可能性がある。したがって、受信可能な放送信号がどの放送方式に対応するものであるかが不明である場合でも、受信可能なアナログ放送信号およびデジタル放送信号をそれぞれ正しく且つ効率よくサーチするための新たな機能を実現することが必要である。
【００１０】
本発明は上述の事情を考慮してなされたものであり、受信可能なアナログ放送信号およびデジタル放送信号をそれぞれ正しく且つ効率よくサーチすることが可能な電子機器およびチャンネル検出方法を提供することを目的とする。
【課題を解決するための手段】
【００１１】
上述の課題を解決するため、本発明は、アナログ放送信号およびデジタル放送信号を受信する受信装置を備えた電子機器において、前記受信装置を制御して、所定の放送信号周波数帯域内から受信可能な、アナログ放送信号およびデジタル放送信号の一方の放送信号をサーチするための第１スキャン処理を実行する第１スキャン処理制御手段であって、前記第１スキャン処理は、前記受信装置の受信周波数を第１のステップ幅で順次変更する処理と、前記受信装置に設けられ前記受信装置によって受信された信号から所定の周波数帯域に属する信号成分を抽出するバンドパスフィルタのフィルタ帯域幅を複数種の放送方式にそれぞれ対応する複数の帯域幅の間で変更しながら前記バンドパスフィルタの出力を解析して、前記受信周波数毎に、受信信号の存在の有無と、前記一方の放送信号の存在の有無と、存在する前記一方の放送信号の帯域幅とを検出する処理とを含む第１のスキャン処理制御手段と、前記第１スキャン処理の結果に基づき、前記放送信号周波数帯域の内から、前記アナログ放送信号および前記デジタル放送信号の他方の放送信号が存在する可能性がある周波数帯域を絞り込む手段と、前記受信装置を制御して、前記絞り込まれた周波数帯域内から受信可能な、前記他方の放送信号をサーチするための第２スキャン処理を実行する第２のスキャン処理制御手段であって、前記第２スキャン処理は、前記受信装置の受信周波数を第２のステップ幅で順次変更する処理と、前記バンドパスフィルタの帯域幅を前記複数のフィルタ帯域幅の間で変更しながら前記バンドパスフィルタの出力を解析して、前記受信周波数毎に、前記他方の放送信号の存在の有無と、存在する前記他方の放送信号の帯域幅とを検出する処理とを含む第２のスキャン処理制御手段とを具備することを特徴とする。
【発明の効果】
【００１２】
本発明によれば、受信可能なアナログ放送信号およびデジタル放送信号をそれぞれ正しく且つ効率よくサーチすることが可能となる。
【発明を実施するための最良の形態】
【００１３】
以下、図面を参照して、本発明の実施形態を説明する。  
まず、図１および図２を参照して、本発明の一実施形態に係る電子機器の構成について説明する。この電子機器は放送信号を受信可能な携帯型の電子機器であり、例えば、ノートブック型の携帯型パーソナルコンピュータ１０として実現されている。
【００１４】
図１はパーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１５】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１６】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、チャンネル切替えボタン１５Ｂも含まれている。ＴＶ起動ボタン１５ＡはＴＶ放送番組データを再生するためのボタンである。ＴＶ起動ボタン１５Ａがユーザによって押下された時、ＴＶアプリケーションプログラムが自動的に起動される。ＴＶアプリケーションプログラムは、ＴＶ放送番組データを視聴および記録するためのビデオ再生プログラムである。チャンネル切替えボタン１５Ｂは、視聴／記録すべきＴＶ放送番組データのチャンネルを選択するためのボタンである。チャンネル切替えボタン１５Ｂがユーザによって押下される度に、視聴／記録すべきＴＶ放送番組データのチャンネルが順番に切り替えられる。
【００１７】
コンピュータ本体１１の側面には、ＡＶ（オーディオ・ビデオ）コネクタセット１８およびＴＶ入力端子１９とが設けられている。ＴＶ入力端子１９には、ＴＶアンテナケーブル、またはＣＡＴＶ網に接続される。ＡＶ（オーディオ・ビデオ）コネクタセット１８は、外部機器からＡＶデータを入力するためのコネクタ群であり、コンポジットビデオ入力コネクタ１８Ａ、Ｓビデオ入力コネクタ１８Ｂ、および２つのオーディオ入力コネクタ（オーディオ−Ｌ、オーディオ−Ｒ）１８Ｃを含む。
【００１８】
次に、図２を参照して、本コンピュータ１０のシステム構成について説明する。
【００１９】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、ＴＶチューナ・キャプチャユニット１２３、およびエンベデッドコントローラ／キーボードコントローラＩＣ（ＥＣ／ＫＢＣ）１２４等を備えている。
【００２０】
ＣＰＵ１１１は本コンピュータ１０の動作を制御するために設けられたプロセッサであり、ハードディスクドライブ（ＨＤＤ）１２１から主メモリ１１３にロードされる、オペレーティングシステム（ＯＳ）および各種アプリケーションプログラムを実行する。アプリケーションプログラムとしては、上述のＴＶアプリケーションプログラムに加え、チューナ制御プログラムが利用される。チューナ制御プログラムは、ＴＶチューナ・キャプチャユニット１２３の動作を制御するためのプログラムである。チューナ制御プログラムは、ＴＶアプリケーションプログラムからの要求に応答して、ＴＶチューナ・キャプチャユニット１２３が受信可能な、全てのアナログ放送チャンネルおよび全てのデジタル放送チャンネルを自動的にサーチするためのスキャン処理を実行する。
【００２１】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２２】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２３】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）を有しており、ＯＳ／アプリケーションプログラムによってビデオメモリ（ＶＲＡＭ）に書き込まれた表示データから、ＬＣＤ１７に表示すべき表示イメージを形成する映像信号を生成する。また、グラフィクスコントローラ１１４は、外部ＣＲＴ（Cathode Ray Tube）へアナログ映像信号を出力するためのインタフェース、およびアナログ映像信号をＳビデオ出力コネクタを介して外部に出力するためのインタフェースも有している。
【００２４】
サウスブリッジ１１９は、ＬＰＣ（Low Pin Count）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＢＩＯＳ−ＲＯＭ１２０をアクセス制御するための機能、およびＰＣＩ（Peripheral Component Interconnect）バス２０上の各デバイスを制御する機能を有している。ＰＣＩバス２０には、ＴＶチューナ・キャプチャユニット１２３が接続されている。
【００２５】
ＴＶチューナ・キャプチャユニット１２３は、バスコネクタ３０を介してＰＣＩバス２０に接続されている。バスコネクタ３０は、例えば、Mini PCIコネクタから構成されている。ＴＶチューナ・キャプチャユニット１２３は、地上波アナログＴＶ放送信号のようなアナログ放送信号と地上波デジタルＴＶ放送信号のようなデジタル放送信号とを受信する受信装置である。アナログ放送信号は、通常、ＶＨＦ帯およびＵＨＦ帯を含む放送信号周波数帯域を用いて放送されている。また、デジタル放送信号は、通常は、ＵＨＦ帯を含む放送信号周波数帯域を用いて放送されていることが多いが、地域によってはＶＨＦ帯が利用されることもある。
【００２６】
ＴＶチューナ・キャプチャユニット１２３は、ＶＨＦ帯およびＵＨＦ帯を含む放送信号周波数帯域を用いてそれぞれ放送されている、アナログ放送信号またはデジタル放送信号を受信し、その受信した放送信号に含まれる映像信号および音声信号をＰＣＩバス２０上に出力する。受信されたアナログ放送信号に含まれる映像信号および音声信号はＴＶチューナ・キャプチャユニット１２３内で例えばＭＰＥＧ２（MPEG: Moving Picture Coding Experts Group）のような圧縮符号化方式で圧縮符号化され後にＰＣＩバス２０上に出力される。圧縮符号化された映像信号および音声信号はＴＶアプリケーションプログラムによってデコードされる。一方、受信されたデジタル放送信号は圧縮符号化された映像信号および圧縮符号化された音声信号を含んでいるので、それら圧縮符号化された映像信号および圧縮符号化された音声信号がＰＣＩバス２０上に出力される。
【００２７】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。
【００２８】
次に、図３を参照して、ＴＶチューナ・キャプチャユニット１２３の構成を説明する。
【００２９】
上述したように、ＴＶチューナ・キャプチャユニット１２３は、アナログ・デジタル両放送を受信可能に構成されている。このＴＶチューナ・キャプチャユニット１２３は、チューナ部２０１、コントローラ２０２、アナログＴＶ信号処理回路２０３、デジタルＴＶ信号処理回路２０４、およびＰＣＩバスインタフェース２０５から構成されている。
【００３０】
ＴＶ入力端子１９には、アンテナからの放送信号またはＣＡＴＶ網からの放送信号が入力される。チューナ部２０１は、映像信号および音声信号を搬送するＴＶ放送信号を受信するようにＴＶ入力端子１９に接続されている。このチューナ部２０１は、受信周波数をチューニングすることによって、所望の周波数帯域に属する放送信号を受信することができる。ＴＶ入力端子１９から入力される放送信号はチューナ部２０１によって高周波数信号（ＲＦ）信号から中間周波（ＩＦ）信号に変換された後に、アナログＴＶ信号処理回路２０３、およびデジタルＴＶ信号処理回路２０４に送られる。
【００３１】
チューナ部２０１は、増幅器（ＡＭＰ）２０１、ミキサと称される周波数変換器（ＭＩＸ）３０２、バンドパスフィルタ（ＢＰＦ）３０３、ＡＧＣ（Auto Gain Control）回路３０４、および周波数選択回路３０５から構成されている。
【００３２】
ＴＶ入力端子１９から入力される放送信号は増幅器（ＡＭＰ）２０１によって増幅された後に周波数変換器（ＭＩＸ）３０２に送られる。周波数変換器（ＭＩＸ）３０２は、周波数選択回路３０５の制御の下、周波数選択回路３０５によって受信周波数として選択されたある周波数を中心周波数として有する放送信号（ＲＦ信号）を、予め決められた特定の中間周波（ＩＦ）信号に変換する。
【００３３】
ＡＧＣ回路３０４は、一定の信号レベルを有する放送信号が周波数変換器（ＭＩＸ）３０２に入力されるように、コントローラ２０２の制御の下、増幅器（ＡＭＰ）２０１の増幅率を制御する。ＡＧＣ回路３０４は、入力レベルが低い場合は増幅率を上げ、また入力レベルが高い場合は増幅率を下げる。
【００３４】
周波数選択回路３０５は、コントローラ２０２の制御の下に、チューナ部２０１によって受信すべき周波数（受信周波数）を選択するための回路である。周波数選択回路３０５は、局部発振信号を周波数変換器（ＭＩＸ）３０２に送出する。この局部発振信号の周波数は、受信周波数とＩＦ信号の周波数との関係によって決められる。周波数変換器（ＭＩＸ）３０２は、増幅器（ＡＭＰ）２０１からの入力ＲＦ信号と周波数選択回路３０５からの局部発振信号とを乗算することにより、入力ＲＦ信号をＩＦ信号に変換する。
【００３５】
バンドパスフィルタ（ＢＰＦ）３０３は、ＩＦ信号に含まれる所定の周波数帯域幅に属する信号成分のみを通過させるフィルタである。このバンドパスフィルタ（ＢＰＦ）３０３は、例えばＳＡＷ（Surface Acoustic Wave：表面弾性波）フィルタから構成されている。
【００３６】
もしバンドパスフィルタ（ＢＰＦ）３０３が無いと、受信したい信号以外の他の信号やノイズなどがアナログＴＶ信号処理回路２０３およびデジタルＴＶ信号処理回路２０４に送られてしまい、これによりＳ／Ｎの劣化が引き起こされる。バンドパスフィルタ（ＢＰＦ）３０３のフィルタ帯域幅（通過帯域幅）は、受信対象の放送信号の放送方式によって決まる。日本国内で使用されている放送方式であるＮＴＳＣ−Ｍのみを受信対象とする場合には、バンドパスフィルタ（ＢＰＦ）３０３のフィルタ帯域幅は６ＭＨｚに固定すれば十分である。しかし、本実施形態では、世界中の様々な放送方式それぞれに対応する放送信号を受信対象としているので、バンドパスフィルタ（ＢＰＦ）３０３のフィルタ帯域幅は、６，７，８ＭＨｚと変化させる必要がある。そのため、バンドパスフィルタ（ＢＰＦ）３０３は、そのフィルタ帯域幅を変化させることができるように構成されている。フィルタ帯域幅の制御はコントローラ２０２によって行われる。
【００３７】
アナログＴＶ信号処理回路２０３はチューナ部２０１によって受信されたアナログ放送信号（以下、アナログＴＶ信号と称する）を処理するためのアナログ放送信号処理回路であり、復調器３１１、エンコーダ３１２、およびアナログＴＶ信号検出回路３１３等を含む。
【００３８】
アナログＴＶ信号検出回路３１３は、バンドパスフィルタ（ＢＰＦ）３０３から出力されるＩＦ信号を解析してアナログＴＶ信号を検出する処理を実行する。このアナログＴＶ信号検出回路３１３による検出処理により、チューナ部２０１の現在の受信周波数の値とバンドパスフィルタ（ＢＰＦ）３０３の現在のフィルタ帯域幅の値とによって規定される周波数帯域内に、アナログＴＶ信号が存在するか否かが判別される。
【００３９】
また、たとえ周波数選択回路３０５で選択された受信周波数とＴＶ入力端子１９から入力される放送信号の実際の周波数とが完全に一致しなくとも、受信周波数と入力される放送信号の実際の周波数との間の誤差量がある一定範囲内（検出可能周波数範囲内）にあるならば、アナログＴＶ信号検出回路３１３は、アナログＴＶ信号の有無を正しく検出することができる。また、アナログＴＶ信号検出回路３１３は、上述の誤差量を計算することもできる。コントローラ２０２は、アナログＴＶ信号検出回路３１３から誤差量を取得し、その取得した誤差量に基づいて、受信周波数を調整する。
【００４０】
復調器３１１はアナログＴＶ信号を復調する回路である。復調器３１１は、バンドパスフィルタ（ＢＰＦ）３０３から出力されるＩＦ信号を映像信号と音声信号とに分離し、それら映像信号および音声信号をそれぞれデコードする。エンコーダ３１２は、デコードされた映像信号およびデコードされた音声信号をそれぞれ圧縮符号化して、デジタルストリームを生成する。このデジタルストリームはＰＣＩバス２０上に出力される。
【００４１】
デジタルＴＶ信号処理回路２０４はチューナ部２０１によって受信されたデジタルＴＶ放送信号（以下、デジタルＴＶ信号という）を処理するためのデジタル放送信号処理回路であり、復調器３２１、およびデジタルＴＶ信号検出回路３２２等を含む。
【００４２】
復調器３２１はデジタルＴＶ信号を復調する回路であり、例えばＯＦＤＭ、ＱＡＭのような変調方式に対応する復調方式でバンドパスフィルタ（ＢＰＦ）３０３から出力されるＩＦ信号を復調して、トランスポートストリーム等のデジタルストリームを生成する。このデジタルストリームはＰＣＩバス２０上に出力される。
【００４３】
デジタルＴＶ信号検出回路３２２は、バンドパスフィルタ（ＢＰＦ）３０３から出力されるＩＦ信号を解析してデジタルＴＶ信号を検出する処理を実行する。この検出処理により、チューナ部２０１の現在の受信周波数の値とバンドパスフィルタ（ＢＰＦ）３０３の現在のフィルタ帯域幅の値とによって規定される周波数帯域内に、デジタルＴＶ信号が存在するか否かが判別される。この検出処理は、例えば、復調器３２１による復調処理の結果を用いて実行することもできる。この場合、例えば、復調器３２１によって復調処理が正常に実行できなかった場合には、デジタルＴＶ信号が存在しないと判断される。また、たとえ周波数選択回路３０５で選択された受信周波数とＴＶ入力端子１９から入力される放送信号の実際の周波数とが完全に一致しなくとも、受信周波数と入力される放送信号の実際の周波数との間の誤差量がある一定範囲内（デジタルＴＶ信号検出回路３２２の検出可能周波数範囲内）にあるならば、デジタルＴＶ信号検出回路３２２は、デジタルＴＶ信号の有無を正しく検出することができる。また、デジタルＴＶ信号検出回路３２２は、誤差量を計算することもできる。コントローラ２０２は、デジタルＴＶ信号検出回路３２２から誤差量を取得し、その取得した誤差量に基づいて、受信周波数を調整する。
【００４４】
コントローラ２０２は、ＴＶアプリケーションプログラムまたはチューナ制御プログラムからの指示に基づき、チューナ部２０１、アナログＴＶ信号処理回路２０３、およびデジタルＴＶ信号処理回路２０４を制御する。具体的には、コントローラ２０２は、ＡＧＣ回路３０４、周波数選択回路３０５、バンドパスフィルタ３０３を制御して、受信周波数を適切な値に設定する処理、ＩＦ信号を適切な信号レベルに設定する処理、およびフィルタ帯域幅を選択的に変更する処理等を実行する。また、コントローラ２０２は、アナログＴＶ信号処理回路２０３およびデジタルＴＶ信号処理回路２０４からそれぞれ、アナログＴＶ信号の検出結果およびデジタルＴＶ信号の検出結果を取得して、アナログＴＶ信号の存在の有無およびデジタルＴＶ信号の存在の有無を判別する。また、コントローラ２０２は、バンドパスフィルタ３０３から出力されるＩＦ信号の信号レベルとＡＧＣ回路３０４に設定したゲインの値とに基づいて受信信号（入力信号）の信号レベルを判別することにより、受信周波数毎に、受信信号（入力信号）の存在の有無を検出する。
【００４５】
図４には、チューナ制御プログラムの機能構成が示されている。
【００４６】
チューナ制御プログラム４０１は、チャンネル検出処理を実行するための機能モジュールとして、アナログＴＶスキャン処理制御部４１１、絞り込み処理部４１２、およびデジタルＴＶスキャン処理制御部４１３を備えている。
【００４７】
アナログＴＶスキャン処理制御部４１１は、ＴＶチューナ・キャプチャユニット１２３を制御して、例えばＶＨＦ帯およびＵＨＦ帯を含む放送信号周波数帯域内から、受信可能な全てのアナログ放送チャンネルをサーチするためのアナログＴＶスキャン処理を実行する。
【００４８】
アナログＴＶスキャン処理においては、周波数選択回３０５を制御することによって受信周波数を所定のステップ幅で順次変更する処理と、バンドパスフィルタ３０３のフィルタ帯域幅を複数種の放送方式にそれぞれ対応する複数の帯域幅（たとえば、６ＭＨｚ、７ＭＨｚ、８ＭＨｚ）の間で変更しながらバンドパスフィルタ３０３の出力信号（ＩＦ信号）を解析して、受信周波数毎に、受信信号（入力信号）の存在の有無と、アナログＴＶ信号の存在の有無と、存在するアナログＴＶ信号の帯域幅とを検出する処理とが実行される。アナログＴＶ信号の存在の有無の検出は、アナログＴＶ信号検出回路３１３を用いて実行される。
【００４９】
また、アナログＴＶスキャン処理においては、ある受信周波数においてアナログＴＶ信号が検出された場合、当該検出されたアナログＴＶ信号の帯域幅に基づいて、アナログＴＶスキャン処理の対象から除外すべき周波数帯域が決定され、当該決定結果に基づいて、次に設定すべき受信周波数の値が調整される。
【００５０】
絞り込み処理部４１２は、アナログＴＶスキャン処理によって検出されたアナログＴＶ信号および当該検出されたアナログＴＶ信号の帯域幅に基づき、放送信号周波数帯域の内から、デジタルＴＶ信号が存在する可能性がある周波数帯域を絞り込む処理を実行する。この場合、絞り込み処理部４１２は、放送信号周波数帯域の内で、アナログＴＶスキャン処理において受信信号が検出されなかった周波数帯域とアナログＴＶスキャン処理において検出されたアナログＴＶ信号が存在する各周波数帯域とを除く残りの周波数帯域を、デジタルＴＶ信号が存在する可能性がある周波数帯域として決定する。
【００５１】
デジタルＴＶスキャン処理制御部４１３は、絞り込まれた周波数帯域内から、つまりデジタルＴＶ信号が存在する可能性がある周波数帯域内から、受信可能な全てのデジタル放送チャンネルをサーチするためのデジタルＴＶスキャン処理を実行する。
【００５２】
デジタルＴＶスキャン処理においては、周波数選択回３０５を制御することによって受信周波数を所定のステップ幅で順次変更する処理と、バンドパスフィルタ３０３のフィルタ帯域幅を複数種の放送方式にそれぞれ対応する複数の帯域幅（たとえば、６ＭＨｚ、７ＭＨｚ、８ＭＨｚ）の間で変更しながらバンドパスフィルタ３０３の出力信号（ＩＦ信号）を解析して、受信周波数毎に、受信信号（入力信号）の存在の有無と、デジタルＴＶ信号の存在の有無と、存在するデジタルＴＶ信号の帯域幅とを検出する処理とが実行される。デジタルＴＶ信号の存在の有無の検出は、デジタルＴＶ信号検出回路３２２を用いて実行される。
【００５３】
また、デジタルＴＶスキャン処理においては、ある受信周波数においてデジタルＴＶ信号が検出された場合、当該検出されたデジタルＴＶ信号の帯域幅に基づいて、デジタルＴＶスキャン処理の対象から除外すべき周波数帯域が決定され、当該決定結果に基づいて、次に設定すべき受信周波数の値が調整される。
【００５４】
なお、デジタルＴＶスキャン処理をアナログＴＶスキャン処理に先行して実行してもよい。この場合、絞り込み処理部４１２は、デジタルＴＶスキャン処理によって検出されたデジタルＴＶ信号および当該検出されたデジタルＴＶ信号の帯域幅に基づき、放送信号周波数帯域の内から、アナログＴＶ信号が存在する可能性がある周波数帯域を絞り込む処理を実行する。アナログＴＶスキャン処理は、アナログＴＶ信号が存在する可能性がある周波数帯域のみを対象に実行される。
【００５５】
以下では、アナログＴＶスキャン処理を最初に実行し、アナログＴＶスキャン処理の結果を用いてデジタルＴＶスキャン処理を実行する場合を想定する。
【００５６】
図５には、アナログＴＶスキャン処理で用いられる検索テーブルＡ１とデジタルＴＶスキャン処理で用いられる検索テーブルＡ２とが示されている。
【００５７】
検索テーブルＡ１，Ａ２の各々においては、スキャンパラメータを示すフィールドとスキャン結果を示すフィールドとが定義されている。
【００５８】
スキャンパラメータを示すフィールドは、受信周波数を示すサブフィールドと、３種類のフィルタ帯域幅（６ＭＨｚ，７ＭＨｚ，８ＭＨｚ）それぞれの有効／無効を示す３つのフィルタ帯域幅サブフィールドとから構成される。各フィルタ帯域幅サブフィールドにおいて、値“有効”は、それに対応するフィルタ帯域幅を用いてスキャン処理を実行すべきことを示している。初期状態においては、どの受信周波数においても、全てのフィルタ帯域幅サブフィールドに値“有効”が設定されている。
【００５９】
スキャン結果を示すフィールドは、受信信号の存在の有無を示すステータスを格納する“信号”サブフィールドと、ＴＶ信号（検索テーブルＡ１においてはアナログＴＶ信号、検索テーブルＡ２においてはデジタルＴＶ信号）の存在の有無を示すステータスを格納する“ＴＶ検出”サブフィールドと、検出されたＴＶ信号の帯域幅を示す“帯域幅”サブフィールドとから構成されている。
【００６０】
本実施形態においては、アナログＴＶスキャン処理は、受信周波数を100MHzから1MHzのステップ幅単位で順次変更しながら実行される。ステップ幅＝1MHzは、アナログＴＶ信号検出回路３１３の検出可能周波数範囲によって決められるパラメータである。例えば、アナログＴＶ信号検出回路３１３の検出可能周波数範囲が±1MHzであるならばステップ幅は2MHzでよく、またアナログＴＶ信号検出回路３１３の検出可能周波数範囲が±500kHzであるならばステップ幅は1MHzでよい。ただし、一般的には、検出漏れを防ぐ意味で、ステップ幅の値は、アナログＴＶ信号検出回路３１３の検出可能周波数範囲よりも小さな値に設定される。本実施形態では、アナログＴＶ信号検出回路３１３の検出可能周波数範囲が±1MHzであり、ステップ幅が1MHzに設定されている場合を想定する。
【００６１】
次に、図６乃至図９を参照して、本実施形態のチャンネル検出方法の手順について説明する。
【００６２】
アナログＴＶスキャン処理においては、各受信周波数毎にフィルタ帯域幅を6MHz,7MHz,8MHzの順で変更しながら、受信信号の存在の有無、アナログＴＶ信号の存在の有無、存在するアナログＴＶ信号の帯域幅を検出する処理が実行される。
【００６３】
ある受信周波数において、フィルタ帯域幅が6MHz, 7MHz, 8MHzのいずれの場合においても受信信号が検出されなかったならば、当該受信周波数には何等信号が存在しないので、当該受信周波数はデジタルＴＶスキャン処理の対象から除外される。図６は、受信周波数＝100MHzにおいて、フィルタ帯域幅が6MHz, 7MHz, 8MHzのいずれの場合においても受信信号が検出されなかった場合の検索テーブルＡ１，Ａ２の内容を示している。検索テーブルＡ１においては、受信周波数＝100MHzに対応する３つのフィルタ帯域幅サブフィールドの値は、それぞれ無効を示す値“ブランク”に設定される。受信周波数＝100MHzにおいては何等受信信号が無いので、受信周波数＝100MHは、デジタルＴＶスキャン処理の対象からも除外される。この場合、検索テーブルＡ２においても、受信周波数＝100MHzに対応する３つのフィルタ帯域幅サブフィールドの値は、それぞれ無効を示す値“ブランク”に設定される。
【００６４】
ある受信周波数において、フィルタ帯域幅が6MHz, 7MHz, 8MHzのいずれかに設定されている時に受信信号の存在が検出されたならば、検索テーブルＡ１においては、当該受信周波数に対応する“信号”サブフィールドに、受信信号が存在することを示す値“有”が設定される。さらに、ある受信周波数において、フィルタ帯域幅が6MHz, 7MHz, 8MHzのいずれかに設定されている時に、受信信号の存在が検出され、且つアナログＴＶ信号の存在が検出されたならば、検索テーブルＡ１においては、当該受信周波数に対応する“信号”サブフィールドおよび“ＴＶ検出”サブフィールドにはそれぞれ“有”が設定され、さらに当該受信周波数に対応する“帯域幅”フィールドには、検出されたアナログＴＶ信号の帯域幅が設定される。“帯域幅”フィールドに設定される帯域幅は、アナログＴＶ信号の存在が検出された時に使用されていたフィルタ帯域幅の値である。
【００６５】
受信周波数＝101MHz, 102MHz, 103MHzの各々に対応するアナログＴＶスキャン処理において、受信信号の存在が検出され、アナログＴＶ信号の存在が検出されなかった場合には、図６に示すように、受信周波数＝101MHz, 102MHz, 103MHzの各々に対応する“信号”サブフィールドには受信信号が存在することを示す値“有”が設定され、受信周波数＝101MHz, 102MHz, 103MHzの各々に対応する“ＴＶ信号”サブフィールドの値は“ブランク”となる。
【００６６】
例えば、受信周波数＝109MHz、フィルタ帯域幅＝6MHzの時に、アナログＴＶ信号の存在が検出されたならば、図７に示すように、検索テーブルＡ１においては、受信周波数＝109MHzに対応する“信号”サブフィールドおよび“ＴＶ検出”サブフィールドにはそれぞれ“有”が設定され、受信周波数＝109MHzに対応する“帯域幅”フィールドには6MHzが設定される。
【００６７】
ある受信周波数においてアナログＴＶ信号の存在が検出された時は、さらに、当該検出されたアナログＴＶ信号の帯域幅に基づいて、次に設定すべき受信周波数の値が調整され、これによって幾つかの受信周波数に対するアナログＴＶスキャン処理の実行がスキップされる。これは、次の理由による。
【００６８】
通常、ＴＶ放送においては、チャンネル群はそれぞれの周波数帯域が互いに重ならないように配置されている。現在検出されたアナログＴＶ信号の帯域幅（アナログ放送チャンネルの帯域幅）をWxとし、その隣のチャンネルのＴＶ信号（アナログ放送チャンネルまたはデジタル放送チャンネル）の帯域幅をWyとすると、それらチャンネルが重ならないように、それら２つのチャンネルそれぞれの中心周波数はFd = (Wx / 2 + Wy / 2)だけ離れている。
【００６９】
アナログＴＶ信号の存在が検出された時の受信周波数の値（つまり検出されたアナログＴＶ信号の中心周波数の値）をFcとすると、Fc±Fdの範囲内には別のＴＶ放送チャンネルは存在しないことが保証されるため、アナログＴＶスキャン処理の実行を省略することができる。例えば、6MHzの帯域をそれぞれ有する隣接する２つのＴＶ放送チャンネルそれぞれの中心周波数の差は、Fd=( 6 / 2 + 6 / 2) = 6MHzの式より、6MHzとなる。したがって、もし受信周波数＝109MHzの時に帯域幅6MHzのアナログＴＶ信号が検出されたならば、当該検出されたアナログＴＶ信号の帯域幅6MHzを考慮して、図８のテーブルＡ１に示すように、アナログＴＶスキャン処理を実行すべき次の受信周波数の値は115MHzに変更され、これにより受信周波数＝110MHz,111MHz,112MHz,113MHz,114MHzに対するアナログＴＶスキャン処理の実行は省略される。
【００７０】
さらに、図９のテーブルＡ２に示すように、検出されたアナログＴＶ信号の中心周波数109MHzの前後の周波数帯域（受信周波数＝104MHz〜114MHz）はデジタルＴＶスキャン処理の対象から除外される。
【００７１】
このようにして、アナログＴＶスキャン処理によって検出された各アナログＴＶ信号および当該検出された各アナログ放送信号の帯域幅に基づき、デジタルＴＶスキャン処理を実行することが必要な周波数帯域が制限される。
【００７２】
なお、アナログＴＶスキャン処理における受信周波数のステップ幅とデジタルＴＶスキャン処理における受信周波数のステップ幅とは必ずしも一致させる必要はない。図１０に示すように、デジタルＴＶスキャン処理における受信周波数のステップ幅が、アナログＴＶスキャン処理における受信周波数のステップ幅よりも狭い場合には、最初に、アナログＴＶスキャン処理が実行され、そのアナログＴＶスキャン処理の結果に基づいて制限された周波数帯域のみを対象に、デジタルＴＶスキャン処理が実行される。逆に、デジタルＴＶスキャン処理における受信周波数のステップ幅が、アナログＴＶスキャン処理における受信周波数のステップ幅よりも広い場合には、最初に、デジタルＴＶスキャン処理を実行し、そのデジタルＴＶスキャン処理の結果に基づいて制限された周波数帯域のみを対象に、アナログＴＶスキャン処理を実行すればよい。
【００７３】
次に、図１１のフローチャートを参照して、アナログＴＶスキャン処理と、そのスキャン処理結果に基づいてデジタルＴＶスキャン処理を実行すべき周波数範囲を絞り込む処理の手順を説明する。
【００７４】
アナログＴＶスキャン処理においては、チューナ制御プログラム４０１は、コントローラ２０２を介して、チューナ部２０１およびアナログＴＶ信号処理回路２０３を制御する。
【００７５】
すなわち、チューナ制御プログラム４０１は、まず、コントローラ２０２を介して周波数選択回路３０５を制御することにより、チューナ部２０１に対して受信周波数の値をセットする（ステップＳ１０１）。この後、チューナ制御プログラム４０１は、コントローラ２０２を介してバンドパスフィルタ３０３およびアナログＴＶ信号処理回路２０３を制御することにより、フィルタ帯域幅を変更しながら、受信信号の存在の有無と、アナログＴＶ信号の存在の有無と、存在するアナログＴＶ信号の帯域幅とを検出する処理を実行する（ステップＳ１０２〜Ｓ１０７）。
【００７６】
具体的には、チューナ制御プログラム４０１は、まず、バンドパスフィルタ３０３のフィルタ帯域幅を6MHzに設定し（ステップＳ１０２）、そして、チューナ部２０１に信号受信処理を実行させる（ステップＳ１０３）。次いで、チューナ制御プログラム４０１は、受信信号の存在が検出されたか否かをコントローラ２０２に問い合わせることにより、受信信号の存在の有無を判別する（ステップＳ１０４）。
【００７７】
受信信号が存在しなかったならば（ステップＳ１０４のＮＯ）、チューナ制御プログラム４０１は、現在の受信周波数をデジタルＴＶスキャン処理の対象から除外するための処理を実行する（ステップＳ１０５）。
【００７８】
受信信号が存在するならば（ステップＳ１０４のＹＥＳ）、チューナ制御プログラム４０１は、コントローラ２０２を介してアナログＴＶ信号検出回路３１３による信号検出結果を参照することにより、アナログＴＶ信号の存在が検出されたか否かを判別する（ステップＳ１０６）。
【００７９】
アナログＴＶ信号が存在するならば（Ｓ１０６のＹＥＳ）、チューナ制御プログラム４０１は、検出されたアナログＴＶ信号が存在する周波数帯域をデジタルＴＶスキャン処理の対象から除外するための処理を実行する（ステップＳ１０７）。このステップＳ１０７では、チューナ制御プログラム４０１は、図９で説明したように、検出されたアナログＴＶ信号の周波数帯域幅を考慮して、現在の受信周波数の前後の所定の周波数帯域をデジタルＴＶスキャン処理の対象から除外する。そして、この後、チューナ制御プログラム４０１は、ステップＳ１０１に戻って、受信周波数の値を変更する。
【００８０】
アナログＴＶ信号が存在しないならば（Ｓ１０６のＮＯ）、チューナ制御プログラム４０１は、ステップＳ１０２に戻って、フィルタ帯域幅を7MHhに変更する。そして、ステップＳ１０３からの処理を再び実行する。
【００８１】
全ての受信周波数に対するアナログスキャン処理が完了すると（ステップＳ１０８のＹＥＳ）、チューナ制御プログラム４０１は、アナログスキャン処理を終了し、そして、コントローラ２０２を介してチューナ部２０１およびデジタルＴＶ信号処理回路２０４を制御して、デジタルスキャン処理を開始する。デジタルスキャン処理においては、アナログスキャン処理の結果に基づいて制限された周波数範囲に属する各受信周波数毎に、フィルタ帯域幅を変更しながらデジタルＴＶ信号の存在の有無と存在するデジタルＴＶ信号の帯域幅とが検出される。
【００８２】
このように、本実施形態では、フィルタ帯域幅を変更しながらスキャン処理が実行されるので、世界中のどの地域で本コンピュータ１０が使用される場合でも、本コンピュータ１０が受信可能な、全てのアナログＴＶ放送チャンネルおよび全てのデジタルＴＶ放送チャンネルを正しく検出することができる。さらに、アナログＴＶスキャン処理の結果に基づき、全放送信号周波数帯域の内から、デジタルＴＶ信号が存在する可能性がある周波数帯域が絞り込まれる。これにより、どのような地域においても、デジタルＴＶ信号が存在する可能がある周波数帯域を正しく制限することが可能となり、デジタルＴＶスキャン処理に要する時間を大幅に短縮することが可能となる。
【００８３】
なお、本実施形態では、ＴＶチューナ・キャプチャユニット１２３をコンピュータ１０の本体１１内に内蔵する構成を例示したが、図１２に示すように、ＴＶチューナ・キャプチャユニット１２３をＵＳＢ規格、またはＩＥＥＥ１３９４規格等に対応したケーブルを介してコンピュータ１０の本体１１に接続してもよい。
【００８４】
また、本実施形態のＴＶ信号検出処理の機能は、携帯型ＴＶ装置のような他の様々な電子機器に適用することもできる。
【００８５】
また、上述のＴＶチューナ制御プログラム４０１のアナログＴＶスキャン処理制御部４１１、絞り込み処理部４１２、およびデジタルＴＶスキャン処理制御部４１３それぞれに対応する機能を全てコントローラ２０２によって実行することも可能である。
【００８６】
また本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８７】
【図１】本発明の一実施形態に係るコンピュータの外観を示す斜視図。
【図２】図１のコンピュータのシステム構成を示すブロック図。
【図３】図１のコンピュータに設けられたＴＶチューナ・キャプチャユニットの構成を示すブロック図。
【図４】図１のコンピュータで用いられるＴＶチューナ制御プログラムの機能構成を説明するためのブロック図。
【図５】図１のコンピュータで用いられるアナログＴＶスキャン処理用検索テーブルおよびデジタルＴＶスキャン処理用検索テーブルそれぞれの構成例を示す図。
【図６】図５の各検索テーブルの内容が更新される様子を示す第１の図。
【図７】図５の各検索テーブルの内容が更新される様子を示す第２の図。
【図８】図５の各検索テーブルの内容が更新される様子を示す第３の図。
【図９】図５の各検索テーブルの内容が更新される様子を示す第４の図。
【図１０】図５の各検索テーブルの内容が更新される様子を示す第５の図。
【図１１】図１のコンピュータによって実行されるＴＶ信号検出処理の手順を示すフローチャート。
【図１２】図１のコンピュータにケーブルを介して受信装置を接続した様子を示すブロック図。
【符号の説明】
【００８８】
１０…コンピュータ、１２３…ＴＶチューナ・キャプチャユニット、２０１…チューナ部、２０２…コントローラ、２０３…アナログＴＶ信号処理回路、２０４…デジタルＴＶ信号処理回路、３０３…バンドパスフィルタ、３０５…周波数選択回路、３１３…アナログＴＶ信号検出回路、３２２…デジタルＴＶ信号検出回路、４１１…アナログＴＶスキャン処理制御部、４１２…絞り込み処理部、４１３…デジタルＴＶスキャン処理制御部。
【図１】
2007006247.tif 000003
【図２】
2007006247.tif 000004
【図３】
2007006247.tif 000005
【図４】
2007006247.tif 000006
【図５】
2007006247.tif 000007
【図６】
2007006247.tif 000008
【図７】
2007006247.tif 000009
【図８】
2007006247.tif 000010
【図９】
2007006247.tif 000011
【図１０】
2007006247.tif 000012
【図１１】
2007006247.tif 000013
【図１２】
2007006247.tif 000014